(57)【要約】【課題】端子台取付レールに対して、着脱の容易な端子台装置を得る。【解決手段】盤内に配設した端子台取付レール１５に装着され、電線の接続，分岐又は中継を行う端子台装置において、端子台ブロック２と、複数の端子台ブロックを１列に取り付ける矩形平板状の端子台ブロックベース３と、端子台ブロックベース３の裏面側の長手方向の両端部近傍に固着されて裏面が端子台取付レール１５に当接する接続ベース４と、接続ベース４に設けられて端子台取付レール１５へ着脱可能に係止する係止機構５とを備えた。【選択図】図４
2012190596.tif 000002
【特許請求の範囲】
【請求項１】
盤内に配設した端子台取付レールに装着され、電線の接続，分岐又は中継を行う端子台装置において、
複数の接続端子が列状に配置された端子台ブロックと、複数の前記端子台ブロックを１列に取り付ける矩形平板状の端子台ブロックベースと、前記端子台ブロックベースの裏面側の長手方向の両端部近傍に固着されて裏面が前記端子台取付レールに当接する接続ベースと、前記接続ベースに設けられて前記端子台取付レールへ着脱可能に係止する係止機構とを備えたことを特徴とする端子台装置。
【請求項２】
請求項１記載の端子台装置において、
前記係止機構は、前記接続ベースの側部に形成された貫通穴に遊嵌させた押込みピンと、前記接続ベースの裏面側に突出した前記押込みピンの先端部に固着されて前記端子台取付レールに係止可能な係止爪と、前記係止爪を前記接続ベースの裏面側に向けて付勢するばねと、を有することを特徴とする端子台装置。
【請求項３】
請求項２記載の端子台装置において、
前記係止機構は、前記接続ベースの一方の側部のみに設けられ、他方の側部には、前記端子台取付レールの側面と係止可能な係止部を有する係止板が、前記端子台取付レールの厚さに合わせて係止寸法を調整可能に設けられていることを特徴とする端子台装置。
【請求項４】
請求項１〜請求項３のいずれか１項に記載の端子台装置において、
前記接続ベースの裏面側に、前記端子台取付レールに設けられた長穴に係合する突起部を有することを特徴とする端子台装置。
【請求項５】
請求項１記載の端子台装置において、
前記係止機構は、前記端子台ブロックベースの長手方向の両端部側にあって、前記接続ベースの端面に設けられて前記長手方向に揺動可能な押込みピン取付具と、前記押込みピン取付具に形成された貫通穴にスライド可能に挿通された押込みピンと、前記押込みピン取付具の裏面側へ突出した前記押込みピンの先端部に固着されて前記端子台取付レールの長手方向の端部と係合可能な係止爪と、前記係止爪を前記押込みピン取付具の裏面側に向けて付勢するばねと、前記係止爪を前記端子台取付レールの前記端部に押しつける方向に付勢するばねと、を有することを特徴とする端子台装置。
【請求項６】
請求項１記載の端子台装置において、
前記係止機構は、前記端子台ブロックベースの長手方向の両端部側にあって、向かい合わされた一対の挟み片の中間の突起部が互いに回動可能に組み合わされ、前記端子台取付レールの端部側方を挟み込み可能な挟み具と、前記突起部を連結すると共に前記挟み具を前記接続ベースの裏面に取り付ける軸ピンと、前記挟み具を挟み込み方向に付勢するばねと、前記挟み具を前記接続ベースの裏面側に向けて付勢するばねと、を有することを特徴とする端子台装置。
【発明の詳細な説明】
【技術分野】
【０００１】
この発明は、例えば、制御盤等の盤内に収容されて、外部信号を受け取り盤内信号と取り合うための外線接続用に用いられる端子台や、盤内の内部信号中継に用いられる端子台装置に関するものである。
【背景技術】
【０００２】
端子台装置には、通常、多数の電線が密集して接続されるので、接続作業を少しでも容易にする工夫が、種々提案されている。そのような従来の端子台装置として、例えば、
端子台１台の左半分１列を第１の端子ブロックとし、右半分１列を第２の端子ブロックとし、それら第１の端子ブロックと第２の端子ブロックを分離・取り外し可能にし、また、第１ブロックと第２ブロックが組み合わされたとき、両電気的接触部が相互に接触して接続導体を介し電気的に接続されるように構成したものが開示されている（例えば、特許文献１参照）。
【先行技術文献】
【特許文献】
【０００３】
【特許文献１】特開２００６−３４４３９３号公報（第２頁、図１）
【発明の概要】
【発明が解決しようとする課題】
【０００４】
特許文献１に示すような端子台装置では、第１と第２の端子ブロックを分離して、各端子ブロックへの電線の接続作業を独立して行うことができるので、例えば、制御盤側に第１の端子ブロックを取り付けた状態で盤内側の配線を行い、第２の端子ブロックは取り外して制御盤のない状態で外部配線を接続し、その後に両者を結合することができ、電線の接続作業を行う時期の自由度が大きくなる。しかしながら、端子台を第１又は第２の端子ブロックの単位でしか取り外すことができず、例えば、端子台取付レールに複数個の端子ブロックが配置されており、１列全ての電線接続作業を行う場合には、全ての端子ブロックを外さねばならず、逆に作業が煩雑となるという問題点があった。
また、例えば、制御盤内の奥側に複数の端子ブロック列を配置し、その前面側に重なるように別の端子ブロック列を配置して２列配置するような場合には、奥側の端子ブロック列の電線接続作業がやりにくく、どうしても列間の寸法を広げるなどの措置が必要となり、制御盤が大形化するという問題点があった。
【０００５】
この発明は上記のような問題点を解消するためになされたもので、盤内に配置された端子台取付レールに対して、着脱の容易な端子台装置を得ることを目的とする。
【課題を解決するための手段】
【０００６】
この発明に係る端子台装置は、盤内に配設した端子台取付レールに装着され、電線の接続，分岐又は中継を行う端子台装置において、複数の接続端子が列状に配置された端子台ブロックと、複数の端子台ブロックを１列に取り付ける矩形平板状の端子台ブロックベースと、端子台ブロックベースの裏面側の長手方向の両端部近傍に固着されて裏面が端子台取付レールに当接する接続ベースと、接続ベースに設けられて端子台取付レールへ着脱可能に係止する係止機構とを備えたものである。
【発明の効果】
【０００７】
この発明の端子台装置によれば、端子台ブロックと、複数の端子台ブロックを１列に取り付ける矩形平板状の端子台ブロックベースと、端子台ブロックベースの裏面側の長手方向の両端部近傍に固着されて裏面が端子台取付レールに当接する接続ベースと、接続ベースに設けられて端子台取付レールへ着脱可能に係止する係止機構とを備えたので、端子台装置全体を端子台取付レールへ容易に着脱できるため、電線接続作業や張替えの作業効率の向上を図ることができる。
また、制御盤等の盤内へ複数の端子台装置を配列する場合、手前側と奥側に２列に配列するような配列も可能となり、制御盤等の省スペース化を図ることができる。
【図面の簡単な説明】
【０００８】
【図１】この発明の実施の形態１による端子台装置を示す正面及び背面図である。
【図２】図１のII−IIから見た断面図である。
【図３】図１の端子台装置を端子台取付レールに取り付けた場合の側面図である。
【図４】図３のIV−IVから見た断面図である。
【図５】図４に対応し、別の端子台取付レールに取り付けた場合の断面図である。
【図６】実施の形態１による端子台装置を制御盤に配置した例を示す斜視図である。
【図７】図６の端子台装置部を上面及び側面から見た図である。
【図８】端子台装置が取り付けられる端子台取付レールを示す図である。
【図９】実施の形態２による端子台装置を示す断面図である。
【図１０】実施の形態３による端子台装置を示す側面図である。
【図１１】図１０を上方から見た上面図である。
【図１２】実施の形態４による端子台装置を示す側面及び背面図である。
【図１３】図１２の一部を取り出した部品図の側面及び背面図である。
【発明を実施するための形態】
【０００９】
実施の形態１．
以下、この発明の実施の形態１による端子台装置を図に基づいて説明する。
図１（ａ）は、端子台装置の正面図、（ｂ）は背面図である。図２は、図１のII−IIから見た断面図である。なお、以下の各部品の説明において、図１（ａ）に図示した側を前面と称し、（ｂ）に図示した側を裏面と称すことにする。実施の形態２以下もこれに準じる。
【００１０】
図１に示すように、端子台装置１は、複数の接続端子が列状に配置された端子台ブロック２と、複数の端子台ブロック２を１列に取り付ける矩形平板状の端子台ブロックベース３と、端子台ブロックベース３の裏面側の長手方向の両端部近傍に固着された接続ベース４と、接続ベース４の両側部に設けられて後述する端子台取付レールに端子台装置１を着脱可能に取り付けるための係止機構５（詳細は後述する）とを備えている。端子台ブロックベース３は金属製である。接続ベース４は、例えば合成樹脂製であり、図１（ｂ）に示すように、裏面側からねじ６によって端子台ブロックベース３に固定されている。
端子台ブロック２は一般に市販されているものを使用すればよい。この端子台ブロック２は、長手方向の両端部がねじ７により端子台ブロックベース３に固定されている。端子台ブロックベース３の長さは、使用する端子台ブロック２の長さや個数により決定すればよい。
【００１１】
図２の断面図を参照しながら、接続ベース４と係止機構５を更に詳しく説明する。
接続ベース４は、裏面側が後述する端子台取付レールと当接して取付面となり、裏面の中央部には突起部４ａを有している。この突起部４ａは、端子台取付レールへ取り付けるとき、端子台取付レールの長穴と係合して長手方向にずれるのを防止するためのものである。
接続ベース４の両側部には貫通穴４ｂが２個ずつ形成されており、この貫通穴４ｂに係止機構５が設けられている。
係止機構５は、貫通穴４ｂに遊嵌して設けられた金属製の押込みピン８と、接続ベース４の裏面側に突出した押込みピン８の先端部に形成したねじに螺合されて固定された係止爪９と、押込みピン８に挿通され、その頭部と接続ベース４前面との間にあって、係止爪９を接続ベース４の裏面側に向けて付勢するばね１０（例えば、コイルばね）を有している。なお、係止爪９は合成樹脂製でよい。
【００１２】
次に取り付け方法について説明するが、その前に、端子台装置１が組み込まれる制御盤について説明しておく。
図６は制御盤の一例を示す斜視図であり、ごく簡単に要部のみを模式的に示している。また、図７は、図６の端子台装置１の部分を太矢印VII方向にみた上面図である。但し、端子台装置は一点鎖線で示している。図のように、端子台装置１の配列は、長手方向を上下にして、制御盤１１の奥側に横１列に配置し、その手前側にも同様に横１列に配置した２列構造とした場合を示している。
図７（ａ）に示すように、端子台取付板１２（図６では図示を省略しているが、制御盤１１内の後部に配置されている）に、端子台取付金具１３ａ，１３ｂをねじ１４により固定し、その端子台取付金具１３の前面側に、端子台装置１を固定するための端子台取付レール１５をねじ１６で固定している。図７（ｂ）に示すように、端子台取付金具１３ａ，１３ｂは、端子台取付レール１５の長手方向の両端部近傍に設けられている。端子台取付レール１５は、制御盤１１が必要とする端子台の個数に合わせて、その長さや個数を選定して図７のように取り付けておく。
【００１３】
図３に戻り取付方法について説明する。図３は、端子台装置１を端子台取付レール１５に取り付けたときの部分側面図であり、図４は図３の矢印IV−IV方向に見た断面図である。
端子台装置１は、予め、図１の状態に組み立てておく。端子台装置１を端子台取付レール１５に、押込みピン８の頭部を指で押し込みながら前面側から押し込む。押込みピン８は、接続ベース４の貫通穴４ｂに遊嵌しているので、その遊びの範囲で、図４で左右方向に傾くことができるため、係止爪９は左右方向に広がりながら押し込まれ、端子台取付レール１５の側端部に係合して係止し、ばね１０の応力によって固定することができる。
【００１４】
端子台装置１の取り外しは、押込みピン８を押し込み、端子台装置１全体を左右に交互に押しながら片側ずつ係止爪９を端子台取付レール１５の側端部から外すことで、簡単に取り外すことができる。
この方法をとることにより、端子台装置１に接続された電線振替作業等を行う際に、簡単に端子台装置１を取り外して作業を行うことができるため、図６に示すような制御盤１１のケーブル結線作業において、図示のような２列構造の端子台配列とすることが可能となる。よって、制御盤１１内への端子台収容量を多くすることができるため、制御盤１１の省スペース化を図れる。また、端子台の着脱に工具等を必要としないため作業効率が向上する。
【００１５】
なお、図１〜図４では、端子台取付レールとして、図８（ａ）に示すような一般的に使用されている断面コの字状の端子台取付レール１５の場合について述べたが、図８（ｂ）に示すような、ＤＩＮ規格の端子台取付レール、すなわちＤＩＮレール１７であってもよい。係止機構５の係止爪９の爪先から接続ベース４の裏面までの距離が、押込みピン８の押し込み量によって調節できるため、係止機構５の寸法形状を変えることなく、ＤＩＮレール１７へも適用が可能である。
図５はＤＩＮレール１７に取り付けた場合の接続部断面図である。図４と同等部分は同一符号で示している。係止爪９を可動式としたことで、外部端子台のみでなく、様々なサイズ・形式の端子台取付レールへ設置することができる。
また、接続ベース４には突起部４ａを設けているので、図８に示す端子台取付レール１５又はＤＩＮレール１７に開口した長穴１５ａ，１７ａへ突起部４ａを挿入して引っ掛けることで、縦方向に設置した際の下方への滑り落ちを防ぐことができる。
【００１６】
以上のように、実施の形態１の端子台装置によれば、盤内に配設した端子台取付レールに装着され、電線の接続，分岐又は中継を行う端子台装置において、複数の接続端子が列状に配置された端子台ブロックと、複数の端子台ブロックを１列に取り付ける矩形平板状の端子台ブロックベースと、端子台ブロックベースの裏面側の長手方向の両端部近傍に固着されて裏面が端子台取付レールに当接する接続ベースと、接続ベースに設けられて端子台取付レールへ着脱可能に係止する係止機構とを備えたので、端子台装置全体を端子台取付レールへ容易に着脱できるため、例えば、制御盤等の盤外へ取り出しての作業も容易となり、電線接続作業や張替えの作業効率の向上を図ることができる。
また、制御盤等の盤内へ複数の端子台装置を配列する場合、手前側と奥側に２列に配列するような配列も可能となり、制御盤等の省スペース化を図ることができる。
【００１７】
また、係止機構は、接続ベースの側部に形成された貫通穴に遊嵌させた押込みピンと、接続ベースの裏面側に突出した押込みピンの先端部に固着されて端子台取付レールに係止可能な係止爪と、係止爪を接続ベースの裏面側に向けて付勢するばねと、を有するので、係止機構の係止爪の爪先から接続ベースの裏面までの距離が、押込みピンの押し込み量によって調節できるため、様々なサイズ・形式の端子台取付レールへ、工具を必要とせず、容易に着脱することができる。
【００１８】
また、接続ベースの裏面側に、端子台取付レールに設けられた長穴に係合する突起部を有するので、縦方向に配置した端子台取付レールへ端子台装置を取り付けたとき、端子台装置が滑り落ちるのを防止することができる。
【００１９】
実施の形態２．
図９は、この発明の実施の形態２による端子台装置を示す断面図であり、実施の形態１の図２に対応する図である。図２と同等部分は同一符号を付して説明は省略し、相違点を中心に説明する。なお、図９の（ｂ）は、（ａ）の矢印ｂ方向に見て、係止板部分のみを取り出した部分図である。
図２との相違点は、接続ベースの形状とそれに設ける係止機構である。
【００２０】
実施の形態２の端子台装置２１は、図９（ａ）に示すように、接続ベース２２が実施の形態１とは異なり、片側のみに実施の形態１の図２と同等の、押込みピン８と係止爪９とばね１０とから成る係止機構５が設けられており、もう一方の側面には、係止板２３がねじ２４によって取り付けられている。図９（ｂ）に示すように、係止板２３は矩形状金属板から成り、先端側に直角に折り曲げられた係止部２３ａを有し、また、接続ベース２２へ取り付けるための取付穴２３ｂを有している。取付穴２３ｂは、取付対象の端子台取付レールの厚さによって、接続ベース２２の裏面から係止部２３ａまでの寸法を可変にできるように、長穴としている。なお、接続ベース２２の裏面に設けた突起部２２ａは実施の形態１の接続ベース４の突起部４ａと同等のものである。
【００２１】
次に端子台取付レールへの取り付け方法について説明する。
予め、端子台ブロック２と端子台ブロックベース３と、接続ベース２２と係止機構５と、係止板２３とを図９のように組み立てておく。このとき、取付対象の端子台取付レールのサイズに応じて係止板２３の取付位置を調節しておく。
図９のように組み立てた端子台装置２１を、図示しない端子台取付レールの前面側から差し込み、まず係止板２３側を端子台取付レールの一方の側面と係合させ、次に押込みピン８を押し込んでもう一方の側面に係止爪９を係合させることで取り付けが完了する。
係止機構５側は、ばね１０により寸法調整が可能であり、係止板２３側は、取付穴２３ｂにより寸法が調整できる。
【００２２】
以上のように、実施の形態２による端子台装置によれば、係止機構は、接続ベースの一方の側部のみに設けられ、他方の側部には、端子台取付レールの側面と係止可能な係止部を有する係止板が、端子台取付レールの厚さに合わせて係止寸法を調整可能に設けられているので、様々な形状・サイズの端子台取付レールへ工具を使うことなく容易に着脱でき、また、実施の形態１の端子台装置１と比較して、部品点数を削減でき、加えて、幅方向の出っ張り寸法も縮小できる。
【００２３】
実施の形態３．
図１０は、実施の形態３による端子台装置３１を示す側面図であり、図１１は、図１０を上方からみた上面図である。いずれもＤＩＮレール１７に取り付けた状態を示している。実施の形態１の図３及び図５に対応する部分なので、同等部分は同一符号を付して説明は省略し、相違点を中心に説明する。
【００２４】
図のように、本実施の形態では、係止機構３２を端子台ブロックベース３の長手方向の両端部側の位置にある接続ベース３３の端部に設けている。接続ベース３３は、断面エの字状をして、前面側が端子台ブロックベース３の裏面にねじ３４によって固定され、裏面側がＤＩＮレール１７との当接面になっている。
係止機構３２は、接続ベース３３の端面に設けられて端子台ブロックベース３の長手方向に揺動可能な押込みピン取付具３５と、押込みピン取付具３５に形成された貫通穴にスライド可能に挿通された押込みピン３６と、押込みピン取付具３５の裏面側へ突出した押込みピン３６の先端部に固着されて、ＤＩＮレール１７の長手方向の端部と係合可能な係止爪３７と、係止爪３７を押込みピン取付具３５の裏面側に向けて付勢するばね３８と、係止爪３７をＤＩＮレール１７の端部に押しつける方向に付勢する板ばね３９と、を有している。このうち、押込みピン３６，係止爪３７、ばね３８は、実施の形態１のものとほぼ同等なので説明は省略する。
【００２５】
押込みピン取付具３５は、接続ベース３３の中間部に取付けねじ４０によって取り付けられており、取付けねじ４０を中心に、端子台ブロックベース３の長手方向に揺動可能となっている。板ばね３９は、押込みピン取付具３５と接続ベース３３との間にくの字状に曲げられて挿入されており、上下の係止機構３２の係止爪３７が互いに内側に向く方向の応力を発生させている。また、ばね３８を設けることで、係止爪３７と押込みピン取付具３５の裏面側との距離を可変にしている。
【００２６】
次に取り付け方法について説明する。係止機構３２の押込みピン３６を押し込みながら、上下の係止爪３７が開く方向に傾けて、ＤＩＮレール１７に押し当て、上下の係止爪３７でＤＩＮレール１７の長手方向の両端部を挟み込む。これにより、ばね３８と板ばね３９の応力によって、端子台装置３１をＤＩＮレール１７に固定することができる。
【００２７】
以上のように、実施の形態３の端子台装置によれば、係止機構は、端子台ブロックベースの長手方向の両端部側にあって、接続ベースの端面に設けられて長手方向に揺動可能な押込みピン取付具と、押込みピン取付具に形成された貫通穴にスライド可能に挿通された押込みピンと、押込みピン取付具の裏面側へ突出した押込みピンの先端部に固着されて端子台取付レールの長手方向の端部と係合可能な係止爪と、係止爪を押込みピン取付具の裏面側に向けて付勢するばねと、係止爪を端子台取付レールの端部に押しつける方向に付勢するばねと、を有するので、上記実施の形態１と同様の効果が得られると共に、端子台装置の側方への飛び出し部が無いため、実施の形態１又は２の端子台装置に比べて、電線布設作業で圧迫する部分が減少し、敷設作業がより容易となる。
【００２８】
実施の形態４．
図１２は、実施の形態４による端子台装置４１を示す図で、（ａ）は側面図，（ｂ）は背面図であり、ＤＩＮレール１７に取り付けた状態を示している。また、図１３は図１２の要部を取り出した部分図であり、（ａ）は側面図，（ｂ）はその背面図である。なお、図１２（ａ）は実施の形態１の図３に対応する部分なので、同等部分は同一符号を付して説明は省略し、相違点を中心に説明する。
【００２９】
図１２において、接続ベース４２は略矩形状のブロック体であり、前面側が端子台ブロックベース３の裏面側の長手方向の両端部近傍にねじ４３により固定されている。そして、裏面側に係止機構４４が設けられている。図１３は、接続ベース４２と係止機構４４の部分のみを取り出した部分図である。
係止機構４４は、図１３（ｂ）に示すように、向かい合わされた一対の挟み片４５ａ，４５ｂの長手方向の中間部に設けた突起部４５ｃが互いに回動可能に組み合わされて構成された挟み具４５と、突起部４５ｃの連結ピンを兼ねると共に挟み具４５を接続ベース４２の裏面に取り付けるための軸ピン４６と、挟み片４５ａ，４５ｂの間に挿入されたくの字状の板ばね４７と、図１３（ａ）に示すように、軸ピン４６に挿通されたばね４８とを有している。なお、図１３（ｂ）では、突起部４５ｃの形状が分かるように、ばね４８と軸ピン４６の頭部の図示は省略している。
【００３０】
挟み具４５は、図１３（ａ）に矢印で示すように、軸ピン４６の軸方向にスライド可能であり、ばね４８により常時挟み具４５を接続ベース４２の裏面側に向けて付勢している。又、図１３（ｂ）に矢印で示すように、一対の挟み片４５ａ，４５ｂの図で上方のつまみ部をつまめば、軸ピン４６を支点にして下方の挟持部が開閉可能となっている。
【００３１】
次に取り付け方法について説明する。挟み具４５のつまみ部を互いに中心方向へ力を加え指でつまみながら、図１２に示すように挟み具４５でＤＩＮレール１７の両端部側面を挟み込む。これにより、板ばね４７の応力によって、端子台装置４１をＤＩＮレール１７へ固定することができる。挟み具４５は軸ピン４６の軸方向に移動可能になっているので、例えば実施の形態１で説明した端子台取付レール１５を始め、いろいろなサイズ・種類の端子台取付レールに対応することができる。
【００３２】
なお、実施の形態１〜４において、端子台ブロック２の個数は、使用する制御盤等によって異なるが、必要な端子台ブロック２の個数に合わせて端子台ブロックベース３を用意するだけでよく、長さが変わっても接続ベースと係止機構は同じものを使用でき、汎用性の高い端子台装置を実現できる。
【００３３】
以上のように、実施の形態４の端子台装置によれば、係止機構は、端子台ブロックベースの長手方向の両端部側にあって、向かい合わされた一対の挟み片の中間の突起部が互いに回動可能に組み合わされ、端子台取付レールの端部側方を挟み込み可能な挟み具と、突起部を連結すると共に挟み具を接続ベースの裏面に取り付ける軸ピンと、挟み具を挟み込み方向に付勢するばねと、挟み具を接続ベースの裏面側に向けて付勢するばねと、を有するので、実施の形態１と同様の効果を得ながら、端子台装置の側方への飛び出し部が無いため、実施の形態１の端子台装置に比べて、電線接続作業で圧迫する部分が減少し、接続作業がより容易となる。また、端子台装置の長手方向のはみ出しも、実施の形態３よりも少なくてすみ、端子台装置部を小形に納めることができる。
【符号の説明】
【００３４】
１  端子台装置                        ２  端子台ブロック
３  端子台ブロックベース              ４  接続ベース
４ａ  突起部                          ４ｂ  貫通穴
５  係止機構                          ６，７，１４，１６  ねじ
８  押込みピン                        ９  係止爪
１０  ばね                              １１  制御盤
１２  端子台取付板                      １３ａ，１３ｂ  端子台取付金具
１５  端子台取付レール                  １５ａ，１７ａ  長穴
１７  ＤＩＮレール（端子台取付レール）
２１  端子台装置                        ２２接続ベース
２２ａ  突起部                          ２３  係止板
２３ａ  係止部                          ２３ｂ  取付穴
２４  ねじ
３１  端子台装置                        ３２  係止機構
３３  接続ベース                        ３４  ねじ
３５  押込みピン取付具                  ３６  押込みピン
３７  係止爪                            ３８  ばね
３９  板ばね                            ４０  取付けねじ
４１  端子台装置                        ４２  接続ベース
４３  ねじ                              ４４  係止機構
４５  挟み具                            ４５ａ，４５ｂ  挟み片
４５ｃ  突起部                          ４６  軸ピン
４７  板ばね                            ４８  ばね。
【図１】
2012190596.tif 000003
【図２】
2012190596.tif 000004
【図３】
2012190596.tif 000005
【図４】
2012190596.tif 000006
【図５】
2012190596.tif 000007
【図６】
2012190596.tif 000008
【図７】
2012190596.tif 000009
【図８】
2012190596.tif 000010
【図９】
2012190596.tif 000011
【図１０】
2012190596.tif 000012
【図１１】
2012190596.tif 000013
【図１２】
2012190596.tif 000014
【図１３】
2012190596.tif 000015